(57)【要約】【課題】将来のレイアウト変更に伴う局所負荷の変動に対応できる全面床吹出し空調システムを実現する。【解決手段】本送風機１は、枠体２の中心部に有圧換気扇３を固定し、有圧換気扇３の羽根車３ａを水平面内で回転させるようにしたものである。枠体２には、有圧換気扇３を取り囲むように周縁部に、平面視方形の側壁部５が形成されており、側壁部５から上方に出没可能な突出部５ａを側壁部５内に備えている。一方、枠体２の上下面は、空調空気を下面から取り込んで上面から吹き出せるように開口部となっている。また、枠体２の底面には、支持脚６を介してローラー７が取り付けられており、水平方向に自律走行することができる。そのため、室内に設置された温度センサの値を受信し、受信した温度センサの値に基いて枠体２を移動させ、有圧換気扇３を駆動するように指示する受信・制御部４と、電源部８が枠体２に装備されている。【選択図】図２
2007132564.tif 000002
【特許請求の範囲】
【請求項１】
全面床吹出し空調システムにおいて使用される送風機であって、
室の床下に形成された給気通路を自律走行する枠体内に、水平面内で回転する羽根部および当該羽根部を駆動する駆動部と、当該駆動部に前記羽根部を駆動するように指示する制御部とを備えることを特徴とする送風機。
【請求項２】
室内に設置された温度センサの値を受信する受信部を備え、当該受信部が受信した前記温度センサの値に基いて前記枠体が移動することを特徴とする請求項１に記載の送風機。
【請求項３】
前記枠体の周縁部に設けられた側壁部が鉛直方向に移動可能とされていることを特徴とする請求項１または２に記載の送風機。
【発明の詳細な説明】
【技術分野】
【０００１】
本発明は、送風機に関し、特に、全面床吹出し空調システムにおいて使用される送風機に関する。
【背景技術】
【０００２】
室の床下を二重床とし、床全面に設けた吹出し孔から空調空気を微速にて室内に吹き出す全面床吹出し空調システムは、ドラフト感（空調機から吹き出される空調空気が直接人体に当たることによる不快感）がなく、快適な空調環境を実現することができる（例えば、特許文献１参照）。
しかし、この全面床吹出し空調システムでは、床全面からほぼ同温度かつ同風速の空調空気が吹き出されるため、過度な局所負荷には対応できないという問題がある。
【０００３】
そこで、特許文献２では、吹出風量が調節可能とされたスポット吹出装置を床の所定箇所に設けた全面床吹出し方式空調設備が提案されている。
【特許文献１】特開平６−２２９５８４号公報
【特許文献２】特開平８−１５２１５８号公報
【発明の開示】
【発明が解決しようとする課題】
【０００４】
しかしながら、特許文献２に記載された全面床吹出し方式空調設備の場合、スポット吹出装置の設置位置が固定されるため、将来のレイアウト変更に対応できないという問題がある。
【０００５】
本発明は、上述する問題点に鑑みてなされたもので、将来のレイアウト変更に伴う局所負荷の変動に対応できる全面床吹出し空調システムを実現することを目的とする。
【課題を解決するための手段】
【０００６】
上記目的を達成するため、本発明は、全面床吹出し空調システムにおいて使用される送風機であって、室の床下に形成された給気通路を自律走行する枠体内に、水平面内で回転する羽根部および当該羽根部を駆動する駆動部と、当該駆動部に前記羽根部を駆動するように指示する制御部とを備えることを特徴とする。
本発明では、送風機が室の床下に形成された給気通路を自律走行し、当該給気通路から集中的に送風を行うので、将来のレイアウト変更に伴う局所負荷の変動に対しても容易に対応することができる。
【０００７】
また、本発明は、室内に設置された温度センサの値を受信する受信部を備え、当該受信部が受信した前記温度センサの値に基いて前記枠体が移動することを好適とする。
本発明では、室内に設置された温度センサの値に基いて、送風機が室の床下に形成された給気通路を移動するので、熱負荷の大きい箇所に対して集中的に送風を行うこともできる。
【０００８】
また、本発明は、前記枠体の周縁部に設けられた側壁部が鉛直方向に移動可能とされていることを好適とする。
本発明では、枠体の周縁部に設けられた側壁部が上方に移動して床材に当接することにより、羽根部の風圧が側方に逃げるのを防止し、熱負荷の大きい箇所に対して集中的に送風することができる。
【発明の効果】
【０００９】
本発明によれば、送風機が室の床下に形成された給気通路を自律走行し、当該給気通路から集中的に送風を行うので、将来のレイアウト変更に伴う局所負荷の変動に対しても容易に対応することができる。
【発明を実施するための最良の形態】
【００１０】
以下、本発明の実施形態について図面に基づいて説明する。
図１および図２に本発明に係る送風機の構成を示す。
本送風機１は、枠体２の中心部に有圧換気扇３を固定し、有圧換気扇３の羽根車３ａ（羽根部）を水平面内で回転させるようにしたものである。
【００１１】
有圧換気扇３は、モーター３ｂ（駆動部）の回転軸にプロペラ式の羽根車３ａを取付けたものであり、一般家庭用の換気扇に比べ、大風量、高静圧が得られる。
【００１２】
枠体２には、有圧換気扇３を取り囲むように周縁部に、平面視方形の側壁部５が形成されており、側壁部５から上方に出没可能な突出部５ａを側壁部５内に備えている。一方、枠体２の上下面は、空調空気を下面から取り込んで上面から吹き出せるように開口部となっている。
【００１３】
また、枠体２の底面には、支持脚６を介してローラー７が取り付けられており、図示しないローラー駆動部の動力により水平方向に自律走行することができる。そのため、室内に設置された温度センサの値を受信し、受信した温度センサの値に基いて枠体２を移動させ、有圧換気扇３を駆動するように指示する受信・制御部４と、電源部８が枠体２に装備されている。
なお、枠体２が二重床内を移動できるように、枠体２の外径寸法は二重床を支持する支持脚のピッチよりも小さくなっている。また、電源部８には、自動巻き取り式でストッパーの無い電源ケーブル８ａが装備されており、二重床内における電源ケーブル８ａの巻きつきを防止している。
【００１４】
次に、上記構成を有する本送風機１の動作について、図３の二重床部分の立断面図を用いて説明する。
室内は全面床吹出し空調とされており、二重床とされた床下が給気通路Ｖとして利用される。一方、天井には吸気口が設けられており、天井より上は還気通路として利用される。また、室に隣接して空調機械室が設けられており、空調機械室には空調機が設置されている。
【００１５】
本床１１は、通気性ＯＡフロア９と、その上に敷きつめられた通気性タイルカーペット１０から構成されている。通気性ＯＡフロア９は、方形パネル（図示省略）の四隅を支持脚（図示省略）で支持する二重床構造となっており、均一に空気が滲み出すように、方形パネルには複数の孔が設けられている。また、通気性タイルカーペット１０は、表面材として従来のタイルカーペットと同素材を使用し、繊維で補強された通気繊維素材を裏打ち材に使用したものである。
【００１６】
室内の各所には温度センサ（図示省略）が設置されており、本送風機１に装備された受信・制御部４では、常時、温度センサの値を監視している。
所定値を超えた値を示す温度センサを検知すると、受信・制御部４は、予め登録された温度センサの情報から、所定値を超えた値を示す温度センサの位置情報を抽出し、給気通路Ｖ内を自律走行して、所定値を超えた値を示す温度センサの下方で停止する。
そして、側壁部５に格納されている突出部５ａを上方に突出させて通気性ＯＡフロア９に当接させ、羽根車３ａの風圧が側方に逃げるのを防止した後、有圧換気扇３を作動させ、熱負荷の大きい箇所に対して下方から集中的に送風する。これにより、所定値を超えた値を示す温度センサの位置における空調空気Ｗは、他の箇所の空調空気Ｗ０よりも給気圧力が高くなり、温度ムラが解消される。
【００１７】
本実施形態による送風機では、室内に設置された温度センサの値に基いて、送風機１が室の床下に形成された給気通路Ｖを移動し、熱負荷の大きい箇所に対して集中的に送風を行うので、将来のレイアウト変更に伴う局所負荷の変動に対しても容易に対応することができる。
【００１８】
なお、比較的狭い空間でインテリアとペリメータが分離しにくい空間では、本送風機１をペリメータに集中的に配置し、暖房空気をペリメータに集中させることで快適な空調空間を提供できる。また、このことにより、ぺリカウンター内ファンコイルユニットなどを必要としない自由度の高い空間を提供できる。
【００１９】
以上、本発明の実施形態について説明したが、本発明は上記の実施形態に限定されるものではなく、その趣旨を逸脱しない範囲で適宜変更可能である。例えば、上記の実施形態では、枠体を平面視方形としているが、平面視円形でもよい。
また、上記の実施形態では、送風機はローラーを装備し、ローラーによる移動としているが、給気通路にレールを設置し、送風機がレール上を移動するようにしてもよい。
【図面の簡単な説明】
【００２０】
【図１】本発明に係る送風機の平面図である。
【図２】図１におけるＡ−Ａ矢視断面図である。
【図３】二重床部分の立断面図である。
【符号の説明】
【００２１】
１  送風機
２  枠体
３  有圧換気扇
３ａ  羽根車（羽根部）
３ｂ  モーター（駆動部）
４  受信・制御部
５  側壁部
５ａ  突出部
６  支持脚
７  ローラー
８  電源部
８ａ  電源ケーブル
９  通気性ＯＡフロア
１０  通気性タイルカーペット
１１  床
Ｖ  給気通路
Ｗ、Ｗ０  空調空気
【図１】
2007132564.tif 000003
【図２】
2007132564.tif 000004
【図３】
2007132564.tif 000005